(57)【特許請求の範囲】
【請求項１】
中央開口部と前面表面および背面表面とを有するディスクのためのホルダであって、
（ａ）平面パネル部分を有するベースと、
（ｂ）受台軸上でベースから前方に突出する受台とを備えており、受台が、
（ｉ）径方向外側に突出する複数のリテーナ部材および軸方向に延びる複数のステム部材を有する中央ボタン部分と、
（ｉｉ）ベースに対して片持ち関係でリテーナ部材およびボタン部分のステム部材を支持する複数のアーム部材とを含んでおり、アーム部材は、ベースパネル部分から径方向内側および軸方向前方に傾斜しており、アーム部材は、中央開口部に近接するリテーナ部材が前面表面と係合することによってディスクを保持するための延長部分を集合的に有しており、アーム部材の自由終端は、ボタン部分に加えられた圧力に反応して延長位置から押下げ位置まで軸方向後方にたわみ可能であって、リテーナ部材およびステム部材の径方向内側および軸方向後方の対応する十分な動きを生じて、リテーナ部分およびステム部分がディスクの中央開口部中を通過できるようになり、さらに、
（ｉｉｉ）ディスクの中央開口部に近接する裏面表面に偏って接触して、アーム部材が押下げ位置にあるときにディスクをリテーナ部分に対して軸方向前方に変位させるための複数のフィンガ部材を含んでおり、フィンガ部材はたわみ可能であって、アーム部材と近接共面関係になるホルダ。
【請求項２】
フィンガ部材の自由終端が、下側ディスク表面に接触力を分配するために形成された横方向および径方向に延びる拡大表面を有する請求項１に記載のホルダ。
【請求項３】
ステム部分が、リテーナ部材のうちの対応するリテーナ部材と共にボタンセグメントとして一体に形成される請求項１に記載のホルダ。
【請求項４】
ステム部分の各々に接続された横方向に離間した１対のアーム部材を含んでおり、各対のアーム部材がフィンガ部材のそれぞれの１つをまたぐ請求項３に記載のホルダ。
【請求項５】
前方に向いているボタン表面が、リテーナ部材の外側先端からボタンセグメントのそれぞれの前方先端に前方内側に傾斜しており、その前方先端が、アーム部材の延長位置の中央開口部とランプ係合するように十分に制限された請求項３に記載のホルダ。
【請求項６】
ベース部分が、パネル部分からボタン部分に向かって受台軸と同心に延びる概して円錐形のセグメント化された突出部で形成され、円錐形突出部がアーム部材およびフィンガ部材の主要部分を含む請求項１に記載のホルダ。
【請求項７】
円錐形突出部がさらに、隣接する１対のアーム部材の間に延びる複数のスカート部材を含んでおり、アーム部材を遮蔽するためにそこからわずかに離間した請求項６に記載のホルダ。
【請求項８】
ベースがパネル部分から前方に突出する縁部支持部材をさらに含んでおり、縁部支持部材は、その周囲先端に近接するディスクの裏面表面に接触するショルダ表面およびディスクの横方向の支持を増大させるために受台軸に対して同心関係でショルダ表面から前方に延びる円筒形位置決め面を有しており、縁部支持部材は受台軸の反対側に形成された１対のフィンガくぼみを有しており、各フィンガくぼみはディスクが位置決め面内に延びたときにディスクをユーザのフィンガによって把持することができるように位置決め面を中断する請求項１に記載のホルダ。
【請求項９】
ショルダ表面がフィンガくぼみによって中断される請求項８に記載のホルダ。
【請求項１０】
アーム部材が押下げ位置に動かされたときに、ショルダ表面がディスクのたわみを制限するためにアーム部材の係合位置でディスクから離間される請求項８に記載のホルダ。
【請求項１１】
中央開口部と前面表面および背面表面とを有するディスクのためのホルダであって、
（ａ）平面パネル部分を有するベースと、
（ｂ）受台軸上でベースから前方に突出する受台とを備えており、受台が、
（ｉ）径方向外側に突出する複数のリテーナ部材および軸方向に延びる複数のステム部材とを有する中央ボタン部分であって、ステム部材はリテーナ部材のうちの対応するリテーナ部材と共にボタンセグメントとして一体に形成された中央ボタン部分と、
（ｉｉ）ベースに対して片持ち関係でボタン部分のステム部材を支持するためにステム部分の各々に接続された横方向に離間した１対のアーム部材とを含んでおり、アーム部材は、ベースパネル部分から径方向内側および軸方向前方に傾斜しており、アーム部材は、中央開口部に近接するリテーナ部材前面表面と係合することによってディスクを保持するための延長部分を集合的に有しており、アーム部材の自由終端は、ボタン部分に加えられた圧力に反応して延長位置から押下げ位置まで軸方向後方にたわみ可能であって、リテーナ部材およびステム部材の径方向内側および軸方向後方の対応する十分な動きを生じて、リテーナ部分およびステム部分がディスクの中央開口部中を通過できるようになり、ボタンセグメントの前方に向いている表面は、リテーナ部材の外側終端からボタンセグメントのそれぞれの前方先端に前方および内側に傾斜しており、前方先端はアーム部材の延長位置で中央開口部とランプ係合するように十分に制限され、さらに、
（ｉｉｉ）前記１対のアーム部材にそれぞれ挟まれ、ディスクの中央開口部に近接する裏面表面に偏って接触して、アーム部材が押下げ位置にあるときにディスクをリテーナ部分に対して軸方向前方に変位させるための複数のフィンガ部材を含んでおり、フィンガ部材はたわみ可能であって、アーム部材と近接共面関係になり、さらに、
（ｉｖ）隣接する１対のアーム部材の間に延びる複数のスカート部材を含んでおり、アーム部材を遮蔽するためにそこから近接して離間しており、スカート部材は、パネル部分からボタン部分に向かって受台と同心に延びる概して円錐形の突出部を形成するホルダ。
【発明の詳細な説明】
【０００１】
背景
本発明は、中央円形位置決め開口部を有するコンパクトディスク（ＣＤ）やビデオディスク（ＤＶＤ）など光データディスクに関し、より詳細には、それを格納するためにディスクを保護封入するための装置に関する。
【０００２】
コンパクトディスクやビデオディスクなどデータディスクは、一般にディスクの回転中に移動可能なヘッドによってディスクの透明な下層を介して光学的に読み取ることができるデジタル的に保存された大量の情報を有する。その情報は１つまたは複数のトラックに配置され、トラックは、シルクスクリーニングなどによって加えられたラベリングを有することがあるディスクの薄い保護上層によって覆われる。ディスクの通常の取扱いでは下層に引っ掻き傷が付き、その結果、焦点の損失および／または横方向像変位などによる光路の妨害によってデータの損失が生じることがある。また、一般に２０ミクロンの程度の非常に薄い保護層を引っ掻くことにより、厚さ約０．１ミクロンしかない蒸着金属層から情報が除去されることによりデータが失われることがある。一般に使用されているディスク用の保護容器は、データを含む領域内のディスクの両側に接触することなく中央開口部と係合することによってディスクを支持把持するための中央受台を有する。そのような容器は一般に受台上で傾斜しないようディスクを安定化させるためにディスクの外周の一部分に接触するための突出部を有する。ディスクは対向する周囲部分を把持しながら受台上に降ろすことによって容器中に装填され、受台との係合は一般に、受台の１つまたは複数の要素に指圧を同時に加えることによって実施される。ディスクの取外しは受台に指圧を加え、周囲部分を同時に持ち上げることによって同様に実施される。Ｋｕｉｔｅｍｓ他の米国特許第５６８５４２７号には、ショルダ表面から突出する中央ポストを有しており、ポストがショルダ表面に対向してディスクを把持するための外側に向いているリッジを有するコンパクトディスクホルダが開示されている。ポストは、指圧に反応してセグメントを収縮するためのらせん状スロットで形成される。Ｋｕｉｔｅｍｓのホルダの欠点は、セグメントを収縮するために過度の指圧が必要とされるという点で使用することが難しい。反対に、セグメントを適度の指圧で収縮するために十分長くて薄くすると、弱すぎてディスクを保持する効果がなくなる。
【０００３】
Ｄｅｊａの米国特許第５５２６９２６号には、ディスクの中央ホールドを把持するために外側に突出するカラーで形成されるセグメント化された中央ピンを有しており、中央押しボタンを押すことによってピンが収縮したとき上方に旋回する外側に突出する複数の持ち上げフィンガにピンが接続されているディスクストレージが開示されている。Ｄｅｊａの場合の欠点は、ディスクを実際に持ち上げる前に押しボタンを押し込むことができるようにフィンガが十分に弾性的でなければならず、フィンガがディスクを確実に持ち上げるために十分な弾性力を保有しておらず、フィンガの突出部分が有する長さが限られているという点で、フィンガが効果的でないということである。Ｆｒａｓｅｒ他によるイギリス特許出願第２２９１６４０号には、内側に突出するそれぞれのスプリングアームで支持された二又ボタンホルダを有しており、ホルダのセグメントが活動ヒンジによって相互接続されているコンパクトディスクホルダが開示されている。ボタンホルダの周りには、内側に突出する複数のディスク取出しスプリングアームが間隔を置いて配置されている。Ｆｒａｓｅｒ他のホルダにはいくつかの欠点がある。
【０００４】
例えば、
１．取出しスプリングアームは中央穴からある距離でディスクに接触し、したがってホルダによる残留抵抗力の程度までディスクのたわみを排除しなければならないという点で効果的でない。
２．ディスクは、記録されたデータの完全性を損なうほど、中央穴から十分な距離にある領域内で取出しスプリングアームによって損傷を受けやすい。
３．取出しスプリングアームは、ユーザの衣類などの物体によって妨げられることによって損傷を受けやすい。
【０００５】
したがって、従来技術の欠点を克服する保護ディスク容器が必要である。
【０００６】
概要
本発明は、構造構成要素が、通常の使用および取扱い中に妨げられたり損傷する可能性がなく、特に効果的で使い易い成形ホルダ構成を提供することによってこの必要を満たす。本発明の１つの態様では、中央開口部と前面表面および背面表面とを有するディスクのためのホルダは、平面パネル部分を有するベースと、受台軸上でベースから前方に突出する受台であって、径方向外側に突出する複数のリテーナ部材と軸方向に延びる複数のステム部材とを有する中央ボタン部分を含む受台と、ベースに対して片持ち関係でリテーナ部材およびボタン部分のステム部材を支持する複数のアーム部材とを含んでおり、アーム部材は、ベースパネル部分から径方向内側および軸方向前方に傾斜しており、アーム部材は、中央開口部に近接するリテーナ部材が前面表面と係合することによってディスクを保持するための延長部分を集合的に有しており、アーム部材の自由終端は、ボタン部分に加えられた圧力に反応して延長位置から押下げ位置まで軸方向後方にたわみ可能であって、リテーナ部材およびステム部材の径方向内側および軸方向後方の対応する十分な動きを生じて、リテーナ部分およびステム部分がディスクの中央開口部中を通過できるようになり、さらに、中央開口部に近接するディスクの裏面表面に偏って接触して、アーム部材が押下げ位置にあるときにディスクをリテーナ部分に対して軸方向前方に変位させるための複数のフィンガ部材を含んでおり、フィンガ部材はたわみ可能であって、アーム部材と近接共面関係になる。
【０００７】
フィンガ部材の自由終端は、下側ディスク表面に接触力を分配するために形成された横方向および径方向に延びる延長部分を有することが好ましい。
【０００８】
ステム部分は、リテーナ部材のうちの対応するリテーナ部材と共にボタンセグメントとして一体に形成される。ホルダは、ステム部分の各々に接続された横方向に離間した１対のアーム部材を含んでおり、各対のアーム部材はフィンガ部材のうちのそれぞれのフィンガ部材をまたぎ、それによってフィンガ部材が外部の物体との接触によって妨げられたり、そうでなければ損傷することがなくなることが好ましい。ボタン表面の前方に向いている表面は、リテーナ部材の外側終端からボタンセグメントのそれぞれの先端へ前方および内部に傾斜しており、前方先端はアーム部材の延長位置で中央開口部とランプ係合するように十分に制限されていることが好ましい。
【０００９】
ベース部分は、パネル部分からボタン部分に向けて受台軸と同心に延びた概して円錐形のセグメント化された突出部で形成され、円錐形の突出部は、受台の概して滑らかな前面プロファイルを与えるためにアーム部材およびフィンガ部材の主要部分を含むことが好ましい。円錐形の突出部はさらに、隣接する１対のアーム部材の間に延び、アーム部材を遮蔽するためにそこからわずかに離間した複数のスカート部材を含むことが好ましい。
【００１０】
ベースはさらに、パネル部分から前方に突出する縁部支持部材を含んでおり、縁部支持部材は、周囲先端に近接するディスクの裏面表面に接触するショルダ表面と、ディスクの横方向の支持を増大させるために受台軸に対して同心関係でショルダ表面の前方に延びる円筒形位置決め面とを有しており、１対のフィンガくぼみが受台軸の反対側の縁部支持部材に形成され、各フィンガくぼみは、ディスクが位置決め面内に延びたときにユーザのフィンガによってディスクを把持することができるように位置決め面を中断する。ショルダ表面はフィンガくぼみによって中断される。このショルダ表面は、アーム部材が押下げ位置に動かされたときにディスクのたわみを制限するためにアーム部材の係合位置でディスクから離間されることが好ましい。
【００１１】
本発明の上記その他の特徴、態様および利点は、以下の説明、首記の請求の範囲、および添付の図面を参照すればよりよく理解できよう。
【００１２】
説明
本発明は、ＣＤやＤＶＤなどディスクを保護格納するために特に効果的なディスク容器（入れもの）を対象とする。図面の図１〜図９を参照すると、ＤＶＤボックス１０は、印刷物（図示せず）を表示するためにそれに結合された透明なジャケット１３を有するケース１２を含んでおり、ケースは、ベース部分１４、ふた部分１６、およびベースとヒンジ部分を可動接続するヒンジ部分１８を含む。例示的な構成では、ケース１２は、一体に形成された成形部材であり、ヒンジ部分１８の対向する縁部に沿って形成されたいわゆる「活動（リビング）ヒンジ」である。ベースとふた部分１４および１６は、それぞれのパネル部分１７および１９と、ボックス１０の閉じた状態で縁部方向に隣接して通常スナップ嵌合するそれぞれの周囲側面部分１７Ｓおよび１９Ｓを含んでおり、ヒンジ部分１８と側面部分１７Ｓおよび１８Ｓは一緒にケース１２の側面を形成し、ふたパネル部分１７は正面壁を形成し、ベースパネル部分１９は裏面壁を形成する。ジャケット１３は、ヒンジ部分の反対側のそれぞれの周囲縁部部分に沿ってパネル部分１７および１９に結合されており、他の点ではパネル部分１７および１９とヒンジ部分１８の外側表面のすべてをほぼ覆うように設計されている印刷物の挿入を容易にするために開いている。ケース１２の次の説明では、ベースに関する用語「前面」および「前方」は、ボックス１０の閉じた状態でふた部分１６に向かう方向をさす。反対に「裏面」、「後方」および「背面」はふた部分から離れる方向をさす。
【００１３】
ケースの受台（ペデスタル）２０は、前面表面２３および裏面表面２４と、円形中央開口部２５と、周辺部２６とを有するデジタルビデオディスク２２を支持係合させるために受台軸２１上のベース１４のパネル部分１９から前方に突出する。また、ケース１２の縁部支持部分２８が、周辺部２６でディスク２２に接触するように受台軸２１に対して同心関係でパネル部分１９上に前方に突出する。縁部支持部分２８は、傾斜しないようにディスク２２を安定化させるための縁部ショルダ３０と、ディスクが受台２０と係合している間にディスク２２の横方向支持を増大させるための円筒形位置決め面３２で形成される。縁部支持部分はまた、ディスク２２の対向する周囲部分を容器１０のユーザが把持することができるように少なくとも１対のフィンガくぼみ３４で形成され、縁部ショルダ３０および円筒形位置決め面３２はフィンガくぼみ３４によって中断される。
【００１４】
本発明によれば、受台２０は、複数のステム部分３６と、受台軸２１の周りに角度的に離間し、かつ角度的に離間したアーム部材４０の自由端で支持されたリテーナ部分３８とで形成され、アーム部材は、片持ち式になっており、またベース１４から径方向内側および軸方向前方に傾斜しており、また図６および図９に示される中央開口部２５中に突出するステム部分３６を有するディスク２２の前面表面２３にリテーナ部分３８が接触する延長位置と、リテーナ部分２８およびステム部分３６が図７および図８に示される中央開口部２５をあけるために軸方向後方および径方向内側に変位する押下げ位置との間で動くように十分柔軟である。アーム部材４０の内側先端は、ベースパネル部分１９に対して平行に概して共面関係で延びるそれぞれの接触部分４１で形成される。受台２０はまた、リテーナ部分３８に対して軸方向前方にディスク２２を押し出すためにそれぞれの接触部分４３を有する複数のフィンガ部材４２を含んでおり、それによって上側ディスク表面２３からのリテーナ部分３８の取外しおよび中央開口部２５中へのリテーナ部分の通過を容易にする。フィンガ部材の接触部分４３は、ディスク２２の裏面表面２４への偏倚力の集中を制限するために図３に最もよく示される横方向に拡大されている。フィンガ部材４２は、アーム部材と近接して配置し、以下でさらに説明するようにそれとほぼ平行に配向することによって損傷から保護される。
【００１５】
ここに図示し説明した受台２０の例示的な好ましい構成では、ステム部分３６およびリテーナ部分３８のそれぞれの部分は対応するボタンセグメント４４として一体に形成され、各ボタンセグメント４４はステムとリテーナ部分３６および３８の外側終端に延びる円錐形面取り表面３９を有する。ボタンセグメント４４の各々は、概して平行に離間した一対のアーム部材４０によって支持され、フィンガ部材４２の各々は、それに対して概して平行に離間した関係で対応する１対のアーム部材４０の間に延びる。図２に最もよく示される受台２０の緩和状態では、フィンガ部材４２はアーム部材４０の前方にわずかに延びており、アーム部材４０およびフィンガ部材４２の外側終端は、ベースパネル部分１９に延び、受台２０の円形外側周辺部４５に沿って接続されており、周辺部４５はパネル部分１９の前面表面と共面である。したがってフィンガ部材４２は、アーム部材４０と概して共通円錐関係で位置することによって破損から保護される。リテーナ部分３８が前面ディスク表面２３に接触する状態でディスク２２が受台２０上にラッチされたとき、背面ディスク表面２４はアーム部材４０の接触部分４１上かまたはそれに近接してあり、したがって接触部分４１はフィンガ部材４２の接触部分４３とほぼ共面である。受台２０のこの状態では、アーム部材４０に対するフィンガ部材４２の下向きのさらなるたわみが、アーム部材の接触部分４３に接触するディスク２２によって保護される。さらに、アーム部材４０とフィンガ部材４２の組合せは、その中央開口部２５に近接するディスクのさらなる下向きの動きに対する非常に増大した抵抗を与えることが有利である。
【００１６】
アーム部材４０はまた、アーム部材４４とほぼ共通円錐関係で外側周辺部４４から内部および前方に延びる複数のスカート部材４６をさらに含む受台２０による破損または永続的変形から保護され、スカート部材４６の各々は分岐した１対のアーム部材４０から縁部方向に近接して離間する。受台２０の緩和状態では、アーム部材４０はスカート部材４６との組合せで、外側周辺部４４でのベースパネル１９から内側および前方に延びてアーム部材４０の接触部分４１に至る受台２０の滑らかな円錐台形前面を形成することが有利である。したがって、アーム部材４０ならびにボタン部分４１は、容器１０のユーザの衣類などの物体と接触することによって引っかけられたり、場合によっては損傷を受けることから保護される。フィンガ部材４２は、上述の保護の他に、受台２０の緩和状態でリテーナ部分３８に近接するように内側に延びる。これがフィンガ部材を保護し、リテーナ部分３８は、ディスク２２が取り除かれ、かつふた部分１６が開いているとき容器１０の通常の取扱いの間にフィンガ部材の終端４３を外部の物体によって当たったり、妨げられたりすることから保護する働きをする。
【００１７】
以上、本発明についてそのいくつかの好ましい形態に関してかなり詳細に説明したが、他の形態も可能である。したがって、首記の請求の範囲の精神および範囲は、本明細書に含まれる好ましい形態の説明に必ずしも限定されるものではない。
【図面の簡単な説明】
【図１】容器が開いた状態にある、本発明による保護ディスク容器の斜視図である。
【図２】受台部分が緩和状態にある、図１の容器の中央受台部分を詳細に示す斜視図である。
【図３】図２の受台部分の平面図である。
【図４】図３の線４―４上の部分正面図である。
【図５】図２の受台部分との係合前に位置するディスクを示す部分断面正面図である。
【図６】押されて受台と係合したディスクを示す図５の詳細図である。
【図７】ディスクがそこから開放される収縮状態に変形した受台部分を示す図５の詳細図である。
【図８】図７の関係で（外直径が減少した状態で示された）受台部分とディスクを示す図２の斜視図である。
【図９】図６のディスクを支持する受台と共に閉じた状態にある図１の容器の部分正面図である。
【図１】
0003554540.tif 000002
【図２】
0003554540.tif 000003
【図３】
0003554540.tif 000004
【図４】
0003554540.tif 000005
【図５】
0003554540.tif 000006
【図６】
0003554540.tif 000007
【図７】
0003554540.tif 000008
【図８】
0003554540.tif 000009
【図９】
0003554540.tif 000010